(57)【要約】      （修正有）【課題】表示パネルと操作パネルの傾動角を自動制御する車載用電子機器を提供する。【解決手段】電子機器本体１０と，当該本体の前面部に傾動可能に取り付けられた表示パネルDISPと，表示パネルの一端部に傾動可能に取り付けられ本体に対する操作ボタンが設けられた操作パネルACPと，表示パネルと操作パネルの傾動動作を制御する傾動制御ユニットとを有する。傾動制御ユニットは，第１の傾動角設定指令に応答して表示パネルを傾動動作させ，第２の傾動角設定指令に応答して操作パネルを傾動動作させ，表示パネルの傾動角に対応して設定された前記操作パネルの傾動角情報を記憶する。さらに，第１の傾動角設定指令に応答して前記表示パネルの傾動動作に加えて記憶した傾動角情報に基づいて操作パネルを傾動動作させる。【選択図】図２
2006312366.tif 000002
【特許請求の範囲】
【請求項１】
電子機器本体と，
当該本体の前面部に前記本体に対して傾動可能に取り付けられた表示パネルと，
前記表示パネルの一端部に傾動可能に取り付けられ前記本体に対する操作ボタンが設けられた操作パネルと，
前記表示パネルと操作パネルの傾動動作を制御する傾動制御ユニットとを有し，
前記傾動制御ユニットは，第１の傾動角設定指令に応答して前記表示パネルを傾動動作させ，第２の傾動角設定指令に応答して前記操作パネルを傾動動作させ，前記表示パネルの傾動角に対応して設定された前記操作パネルの傾動角情報を記憶し，さらに，前記第１の傾動角設定指令に応答して前記表示パネルの傾動動作に加えて前記記憶した傾動角情報に基づいて前記操作パネルを傾動動作させることを特徴とする電子機器。
【請求項２】
請求項１において，前記傾動制御ユニットは，前記第２の傾動角設定指令に応答して前記操作パネルを傾動動作させた時に，前記傾動角情報を更新することを特徴とする電子機器。
【請求項３】
請求項１において，前記傾動制御ユニットは，前記表示パネルを前記本体から離れるオープン方向への第１の傾動角設定指令に応答して，前記表示パネルを傾動動作させた後に前記操作パネルを傾動動作させることを特徴とする電子機器。
【請求項４】
請求項１または３において，前記傾動制御ユニットは，前記表示パネルを前記本体側に近づけるクローズ方向への第１の傾動角設定指令に応答して，前記操作パネルを傾動動作させた後に前記表示パネルを傾動動作させることを特徴とする電子機器。
【請求項５】
請求項１において，前記傾動制御ユニットは，前記第１の傾動角設定指令に応答して，前記操作パネルを基準位置に傾動動作した後に，前記表示パネルを目標傾動角に傾動動作させ，その後，前記操作パネルを前記記憶した傾動角情報に対応する傾動角に傾動動作させることを特徴とする電子機器。
【請求項６】
請求項５において，前記基準位置は，前記操作パネルが前記表示パネルに対して略９０度または略０度の傾動角であることを特徴とする電子機器。
【請求項７】
電子機器本体と，
当該本体の前面部に前記本体に対して傾動可能に取り付けられた表示パネルと，
前記表示パネルの一端部に傾動可能に取り付けられ前記本体に対する操作ボタンが設けられた操作パネルと，
前記表示パネルと操作パネルの傾動動作を制御する傾動制御ユニットとを有し，
前記傾動制御ユニットは，第１の傾動角設定指令に応答して前記表示パネルを傾動動作させ，第２の傾動角設定指令に応答して前記操作パネルを傾動動作させ，
前記傾動制御ユニットは，前記第１の傾動角設定指令に応答して前記表示パネルまたは操作パネルを傾動動作させる時に，所定時間内に目標傾動角への傾動動作が完了しない場合は，その後の操作パネルまたは表示パネルの傾動動作を行わないことを特徴とする電子機器。
【請求項８】
電子機器本体と，
当該本体の前面部に前記本体に対して傾動可能に取り付けられた表示パネルと，
前記表示パネルの一端部に傾動可能に取り付けられ前記本体に対する操作ボタンが設けられた操作パネルと，
前記表示パネルと操作パネルの傾動動作を制御する傾動制御ユニットとを有し，
前記傾動制御ユニットは，第１の傾動角設定指令に応答して前記表示パネルを傾動動作させ，第２の傾動角設定指令に応答して前記操作パネルを傾動動作させ，前記表示パネルの傾動角に対応して設定された前記操作パネルの傾動角情報を記憶し，さらに，前記第１の傾動角設定指令に応答して前記表示パネルの傾動動作に加えて当該表示パネルの傾動動作前における操作パネルの絶対角度に前記操作パネルを傾動動作させることを特徴とする車載用電子機器。
【請求項９】
請求項１，７または８において，前記傾動制御ユニットは，前記表示パネルまたは操作パネルの傾動動作中は，前記操作パネルの操作ボタンの操作を無効にし，当該傾動動作完了後に前記操作パネルの操作ボタンの操作を有効にすることを特徴とする車載用電子機器。
【請求項１０】
請求項１，７または８において，
前記操作パネルは，操作パネルが開いた状態の表面側に表面側操作ボタンを有し，操作パネルが閉じた状態の裏面側に前記表示パネルを開く裏面側操作ボタンを有し，
前記傾動制御ユニットは，前記操作パネルが前記表示パネルに対して所定の基準角度より閉じている状態で前記表面側操作ボタンを無効にし裏面側操作ボタンを有効にし，前記操作パネルが前記表示パネルに対して所定の基準角度より開いている状態で前記表面側操作ボタンを有効にし裏面側操作ボタンを無効にすることを特徴とする車載用電子機器。
【請求項１１】
請求項１，７または８において，
前記傾動制御ユニットは，前記表示パネルを本体の前面側を露出するフルオープン状態への第１の傾動角設定指令に応答して，前記操作パネルの表面側を前記表示パネルの表面側に対して最も近接した状態に傾動動作させた後に，前記表示パネルをフルオープン状態まで傾動動作させることを特徴とする車載用電子機器。
【請求項１２】
請求項１，７または８において，
前記操作パネルは，操作パネルが開いた状態の表面側に表面側操作ボタンと当該操作パネル及び表示パネルを閉じるクローズボタンを有し，操作パネルが閉じた状態の裏面側に当該操作パネル及び表示パネルを元の状態に開くオープンボタンを有し，
前記傾動制御ユニットは，前記クローズボタンの操作に応答して，前記操作パネル及び表示パネルを閉じる傾動制御を行い，前記オープンボタンの操作に応答して，前記閉じる傾動制御の直前の傾動角に前記操作パネル及び表示パネルを開く傾動制御を行うことを特徴とする車載用電子機器。
【請求項１３】
電子機器本体と，
当該本体の前面部に前記本体に対して傾動可能に取り付けられた表示パネルと，
前記表示パネルの一端部に傾動可能に取り付けられ前記本体に対する操作ボタンが設けられた操作パネルと，
前記表示パネルと操作パネルの傾動動作を制御する傾動制御ユニットとを有し，
前記傾動制御ユニットは，第１の傾動角設定指令に応答して前記表示パネルを傾動動作させ，第２の傾動角設定指令に応答して前記操作パネルを傾動動作させ，
前記傾動制御ユニットは，前記第１の傾動角設定指令に応答して，前記操作パネルを基準位置に傾動動作した後に，前記表示パネルを目標傾動角に傾動動作させることを特徴とする電子機器。
【発明の詳細な説明】
【技術分野】
【０００１】
本発明は，表示パネルなどが傾動（チルト）制御される車載用電子機器に関し，特に，表示パネルに傾動可能に取り付けられた操作パネルを有し，その操作パネルの傾動角を表示パネルの傾動角に対応させるよう制御等が行われる車載用電子機器に関する。
【背景技術】
【０００２】
近年における車載用電子機器として，カーオーディオ，テレビ受像器及びカーナビゲーションなどが一体化されたオーディオ・ビジュアル・ナビゲーション装置（以下ＡＶＮ装置）が普及しつつある。かかるＡＶＮ装置は，通常，車両の運転席前方のインストルメントパネル内に埋設される。そのため，ＡＶＮ装置は，各種の機能実現のための電子デバイス等が格納される本体部と，本体部の前面側に設けられる表示パネルとで構成され，本体部がインストルメントパネル内に埋設され，前面側の表示パネルがインストルメントパネルの表面と同じ面内に収納される。また，表示パネルにはタッチパネルが併設され，表示パネルに操作ボタンを表示することで多様な操作を可能にしている。
【０００３】
上記のＡＶＮ装置は，インストルメントパネルからの制約を受けて，表示パネルの面積を最小化することが求められる。一方で，ＡＶＮ装置の多機能化に対応するために，表示パネルの面積を大きくすると共に操作ボタンを有する操作パネルを併設することが求められる。
【０００４】
このような相反する要求を満たすために，表示パネルの下端部に回転動作制御可能に操作パネルを取りつけ，電源ＯＦＦ時は操作パネルを閉じて表示パネルに重ね，電源ＯＮ時にユーザの操作に対応して操作パネルを開いたり閉じたりできるようにし，操作パネルを開いた状態で表示パネルを大画面化することが提案されている。例えば，以下の特許文献１の図１０，図１１に示されるとおりである。
【特許文献１】特開２００５−１７９６８号公報
【発明の開示】
【発明が解決しようとする課題】
【０００５】
上記のＡＶＮ装置は，インストルメントパネルの制約下において，表示パネルの大画面化と操作パネルの併設とを実現することができる。
【０００６】
しかしながら，インストルメントパネル内におけるＡＶＮ装置の装着位置に対応して，ユーザが見やすい角度に調節できるように，表示パネルの傾動角（チルト角）を可変可能にすることが望まれる。表示パネルの傾動角を変更可能にすることは，一般に行われるところであるが，表示パネルに操作パネルを併設しているので，表示パネルの傾動角が変更されると，操作パネルの角度が不適切になり，ユーザによる操作パネルの操作性が悪くなるという課題を有する。つまり，表示パネルの傾動角の変更に伴って，操作パネルの傾動角も同時に調節することが必要になり，ユーザに煩雑な調節を強要することになる。
【０００７】
そこで，本発明の目的は，表示パネルと操作パネルの傾動角を自動制御する電子機器を提供することにある。
【課題を解決するための手段】
【０００８】
上記の目的を達成するために，本発明の第１の側面によれば，電子機器本体と，当該本体の前面部に前記本体に対して傾動可能（本体に対する傾斜角を可変できる）に取り付けられた表示パネルと，前記表示パネルの一端部に傾動可能に取り付けられ前記本体に対する操作ボタンが設けられた操作パネルと，前記表示パネルと操作パネルの傾動動作を制御する傾動制御ユニットとを有し，前記傾動制御ユニットは，第１の傾動角設定指令に応答して前記表示パネルを傾動動作させ，第２の傾動角設定指令に応答して前記操作パネルを傾動動作させ，前記表示パネルの傾動角に対応して設定された前記操作パネルの傾動角情報を記憶し，さらに，前記第１の傾動角設定指令に応答して前記表示パネルの傾動動作に加えて前記記憶した傾動角情報に基づいて前記操作パネルを傾動動作させる。
【０００９】
上記の第１の側面によれば，傾動制御ユニットが，前記第２の傾動角設定指令に対応して設定された操作パネルの傾動角情報を記憶しているので，ユーザが表示パネルの傾動角に対応して前記操作パネルを最適傾動角に設定した後は，ユーザからの表示パネルの傾動角変更指令に応答して，操作パネルを自動的に記憶された最適傾動角に傾動動作させることができ，ユーザによる操作パネルの傾動操作を無用とすることができる。
【００１０】
上記第１の側面において，好ましい実施例では，前記傾動制御ユニットは，前記表示パネルを前記本体から離れるオープン方向への第１の傾動角設定指令に応答して，前記表示パネルを傾動動作させた後に前記操作パネルを傾動動作させ，前記表示パネルを前記本体側に近づけるクローズ方向への第１の傾動角設定指令に応答して，前記操作パネルを傾動動作させた後に前記表示パネルを傾動動作させる。
【００１１】
この好ましい実施例によれば，表示パネルに対する操作パネルの傾動角を小さい角度の状態で表示パネルの傾動動作をさせることができ，車内の障害物への衝突をできるだけ回避することができる。
【００１２】
上記の目的を達成するために，本発明の第２の側面によれば，電子機器本体と，当該本体の前面部に前記本体に対して傾動可能に取り付けられた表示パネルと，前記表示パネルの一端部に傾動可能に取り付けられ前記本体に対する操作ボタンが設けられた操作パネルと，前記表示パネルと操作パネルの傾動動作を制御する傾動制御ユニットとを有し，前記傾動制御ユニットは，第１の傾動角設定指令に応答して前記表示パネルを傾動動作させ，第２の傾動角設定指令に応答して前記操作パネルを傾動動作させ，前記表示パネルの傾動角に対応して設定された前記操作パネルの傾動角情報を記憶し，さらに，前記第１の傾動角設定指令に応答して前記表示パネルの傾動動作に加えて当該表示パネルの傾動動作前における操作パネルの絶対角度に前記操作パネルを傾動動作させる。
【００１３】
上記の第２の側面によれば，表示パネルの傾動角を変更する指令に応答して，表示パネルを傾動動作させると共に，表示パネルの傾動動作前の操作パネルの絶対角度を維持するよう操作パネルを傾動動作させるので，ユーザに最適な操作パネルの方向を維持することができる。また，表示パネルの全ての傾動角に対応して操作パネルの最適方向を初期設定しなくても，表示パネルの１つの傾動角に対して操作パネルの傾動角を設定すれば，それ以外の表示パネルの傾動角についても操作パネルの方向を一定に保つことができる。
【発明の効果】
【００１４】
本発明によれば，ユーザによる表示パネルの傾動角変更指令に応答して，操作パネルを自動で好みの傾動角に傾動動作させることができる。
【発明を実施するための最良の形態】
【００１５】
以下，図面にしたがって本発明の実施の形態について説明する。但し，本発明の技術的範囲はこれらの実施の形態に限定されず，特許請求の範囲に記載された事項とその均等物まで及ぶものである。
【００１６】
図１は，本実施の形態における車載用電子機器の正面図である。以下，車載用電子機器の一例として，オーディオシステムと，テレビ受像器と，カーナビシステムなどが一体化されたＡＶＮ装置を例にして説明する。図１には，ＡＶＮ装置の操作パネルＡＣＰが閉じた（クローズした）状態と開いた（オープンした）状態での正面図が示される。液晶表示パネルまたは有機ＥＬパネルなどからなる表示パネルＤＩＳＰが，図示されない本体に対して表示面が上方向に向くように傾動可能（傾斜可能）に取り付けられ，その表示パネルＤＩＳＰの下端部に操作パネルＡＣＰが傾動可能に取り付けられている。図１では，表示パネルＤＩＳＰに操作パネルＡＣＰを軸支して回転動作可能にする傾動手段１３により，操作パネルが傾動可能になっている。
【００１７】
操作パネルＡＣＰがクローズした状態でユーザ側に露出される裏面には，パネルを開く方向に傾動動作するためのオープン操作ボタンＢＴ２が設けられ（ＡＣＰクローズ状態参照），操作パネルＡＣＰがオープンした状態で露出されるユーザ側に露出される表面側には，操作パネルを閉じる方向に傾動動作するためのクローズ操作ボタンＣＬＯＳＥと，本体の前面側を露出するように表示パネルをフルオープン状態に傾動動作させるためのイジェクト操作ボタンＥＪＣＴと，オーディオシステム，テレビ，カーナビシステムなどの複数の操作ボタンＢＴ１とが設けられている（ＡＣＰオープン状態参照）。
【００１８】
図２は，ＡＶＮ装置の表示パネルと操作パネルの種々の傾動状態の一例を示す図である。図２（ａ）では，本体１０の正面に表示パネルＤＩＳＰがその上端部で軸支され，本体１０から離れるオープン方向に約１５度程度傾斜（傾動）している。また，表示パネルＤＩＳＰの下端部に取り付けられた操作パネルＡＣＰは，表示パネルに対してクローズした状態にある。一方，図２（ｂ）では，同様に表示パネルＤＩＳＰが傾動状態にあり，それに対応して操作パネルＡＣＰも傾動状態にあり，操作パネルが水平状態に保たれその表面側が上側を向いている。この状態であれば，ユーザは，上部斜め上から表示パネルを観察することができると共に，水平状態に保たれた操作パネルの表面に配置されている各種操作ボタンを容易に操作することができる。
【００１９】
図２（ｃ）では，表示パネルＤＩＳＰが本体１０に対して大きく傾動しており，それに伴って操作パネルＡＣＰも大きく傾動している。そして，図２（ｄ）では，表示パネルＤＩＳＰが本体１０に対して９０度傾動していて，操作パネルＡＣＰは表示パネルに対してクローズ状態にある。この状態で本体１０の前面１０Ａが１００％露出され，前面１０Ａに設けられたＣＤやＤＶＤなどの媒体ディスクを挿入・排出する挿排口（図示せず）へのアクセス可能状態になっている。この状態は，表示パネルの１００％フルオープン状態である。
【００２０】
図３は，本実施の形態におけるＡＶＮ装置の概略構成図である。ＡＶＮ装置は，前述のとおり，本体１０と表示パネルＤＩＳＰと操作パネルＡＣＰで構成される。本体１０には，表示パネルや操作パネルの制御を行う制御ボード１６が設けられ，制御ボード１６には表示パネルＤＩＳＰに対して表示制御を行う表示制御ユニット２０と，操作パネルＡＣＰの操作制御を行う操作制御ユニット２２と，表示パネルや操作パネルの傾動制御を含む種々の制御を行うＡＶＮ制御ユニット１８と，表示パネルＤＩＳＰの傾動ユニット１２内のモータＡ１２２を駆動するドライバＤｒＡと，操作パネルＡＣＰのモータＢ１３２を駆動するドライバＤｒＢとを有する。
【００２１】
表示パネルＤＩＳＰの傾動駆動を行う傾動ユニット１２は，表示パネルの本体１０に対する角度を検出する角度センサＡ１２１と，表示パネルを傾動動作させる傾動用のモータ１２２とを有する。角度センサＡ１２１からの検出角度信号がＡＶＮ制御ユニット１８に与えられ，同ユニット１８からの駆動信号に対応してドライバＤｒＡからの駆動信号によりモータ１２２が順方向と逆方向とに駆動される。また，操作パネルユニットには，操作パネルの表示パネルに対する傾動角を検出する角度センサＢ１３１と，傾動動作させるモータ１３２と，図１に示した操作ボタン１３３とが設けられ，角度センサＢ１３１の検出角度信号がＡＶＮ制御ユニット１８に与えられ，同ユニット１８からの駆動信号に対応してドライバＤｒＢからの駆動信号によりモータＢ１３２が順方向と逆方向とに駆動される。また，操作ボタン１３３からの操作信号は操作制御ユニット２２を介してＡＶＮ制御ユニット１８に与えられる。さらに，表示パネルＤＩＳＰに設けられるタッチパネルユニット１４からの操作信号も操作制御ユニット２２を介してＡＶＮ制御ユニット１８に与えられる。
【００２２】
図４は，本実施の形態におけるＡＶＮ制御ユニットの構成図である。ＡＶＮ制御ユニット１８は，例えば汎用マイクロプロセッサまたはＡＳＩＣ（特定用途集積回路）からなるプロセッサであり，中央処理ユニットＣＰＵと，制御プログラムが格納されたプログラムメモリＰ−ＲＯＭと，インターフェースＩＦと，不揮発性メモリＮＶＭＥＭとを有し，それらは内部バスＢＵＳを介して接続される。プログラムメモリＰ−ＲＯＭ内には，後述するＡＶＮ装置の表示パネルや操作パネルの傾動制御プログラムが格納されている。
【００２３】
また，不揮発性メモリＮＶＭＥＭには，表示パネルＤＩＳＰの傾動角０〜３０度（５度毎７段階）に対応して，操作パネルＡＣＰの傾動角９０〜１５０度（１０度毎７段階）を記憶する。図中，Ｘは，表示パネルＤＩＳＰ毎に設定された操作パネルの傾動角を示す。図４の例では，表示パネルの本体に対する傾動角が０度では，操作パネルの表示パネルに対する傾動角が９０度に設定されている。また，表示パネルの傾動角５度，１０度に対しては操作パネルの傾動角が１００度に設定されている。さらに，表示パネルの傾動角１５度，２０度に対しては１１０度に，２５度に対しては１２０度に，３０度に対しては１３０度にそれぞれ設定されている。
【００２４】
好ましい実施例では，この不揮発メモリＮＶＭＥＭには，表示パネルの全ての傾動角に対して操作パネルの傾動角が９０度に初期設定されている。そして，ユーザが各表示パネルを好みの傾動角に設定する時に同時に設定した操作パネルの傾動角が，カスタマイズされた傾動角としてこのメモリに記憶される。一旦操作パネルの傾動角が設定されると，その後は，ユーザによる表示パネルの傾動角制御に対応して，操作パネルの傾動角は最後に設定された傾動角に自動で傾動制御される。したがって，ユーザが表示パネルの傾動角の制御に伴って，操作パネルの傾動角をその都度制御する必要がなく，煩雑な設定をなくしユーザの利便性を高めることができる。
【００２５】
図５は，本実施の形態のおける第１の傾動動作のオープン傾動動作を示す図である。図５（ａ）は電源ＯＦＦの状態を示し，ＡＶＮ装置の本体１０に対して表示パネルＤＩＳＰが傾動角０度，操作パネルＡＣＰも表示パネルに対して傾動角０度にクローズした状態になっている。この状態で，例えば車両のイグニッションキーにより電源ＯＮ操作されると車両内の電源がＯＮとなり，図５（ｂ）に示されるように操作パネルＡＣＰが自動的に９０度の傾動角に傾動制御される。この状態で，操作パネルＡＣＰの表面側が上側を向くことになり，表面側の操作ボタンを操作可能にする。
【００２６】
次に，ユーザからの表示パネルをオープン方向に傾動する指令が与えられると，図５（ｃ）に示すように，表示パネルＤＩＳＰが指令角度に対応する傾動角まで傾動動作する。このとき，操作パネルＡＣＰは９０度の状態を維持する。そして，表示パネルの傾動動作完了後に，図５（ｄ）に示すように，操作パネルＡＣＰが表示パネルの傾動角に対応して設定済みの傾動角まで自動的に傾動制御される。表示パネルの傾動指令は，例えば，表示パネルに表示される傾動指令ボタンへの操作をタッチパネルにより検出することで，ＡＶＮ制御ユニットに与えられる。その操作に応答して，表示パネルの傾動動作が実行され，その後操作パネルの傾動動作がユーザからの操作なしに自動的に実行される。しかも，操作パネルの傾動角は，表示パネルの傾動角に対応して設定された直前の傾動角に制御される。なお，初期の状態（前回の使用履歴がない場合）には，対応する設定角度はないので操作パネルは最初の傾動動作のみを行う。
【００２７】
表示パネルと操作パネルの傾動角動作を同時に行ってもよいが，上記のように，オープン方向の傾動動作において，最初に表示パネルを傾動動作し，その後に操作パネルを傾動動作することで，傾動動作に伴って必要な車両内の空間をできるだけ狭くすることができ，車両内に置かれる種々の物への衝突をできるだけ回避することができる。また，直前に設定された表示パネルの傾動角に対応する操作パネルの傾動角は，車両内の空間で移動可能な実績のある位置であり，そのような傾動角への傾動制御は，他の物への衝突の可能性が最も少なく，不揮発性メモリに記憶した直前の傾動角に操作パネルを傾動制御するのが好ましい。
【００２８】
操作パネルを先にオープン方向に傾動動作させた後に，表示パネルをオープン方向に傾動動作させると，表示パネルの傾動動作中に操作パネルが他の物に衝突する場合があり，操作パネルの破壊を招き好ましくない。
【００２９】
図６は，第１の傾動動作における衝突時の動作を示す図である。この動作は，表示パネルのオープン方向の傾動動作時及びクローズ方向の傾動動作時の両方に適用可能である。また，前述の表示パネルの角度と操作パネルの角度を対応付けしたものに限らず，少なくとも形動制御される駆動対象を有するものにも適用可能である。以下，オープン方向の傾動動作で説明する。
【００３０】
表示パネルのオープン方向の傾動動作では，前述のとおり，最初に表示パネルを傾動動作し，その後操作パネルを傾動動作する。その場合，最初の傾動動作中に障害物に衝突して傾動動作が完了できない場合は，何らかの異常発生と見なして，その次の傾動動作を中止する。図６（ａ）では，表示パネルＤＩＳＰが本体１０に対して約２０度傾動し，操作パネルＡＣＰが表示パネルに対して１１０度傾動した状態にある。そこで，表示パネルに対するオープン方向の傾動指令があると，表示パネルＤＩＳＰがオープン方向に傾動制御される。この時，図６（ｂ）に示すように，何らかの障害物３０に衝突して所定時間内に傾動動作を完了することができない場合は，第１に，表示パネルＤＩＳＰの傾動動作を中止し元の傾動位置に戻す。第２に，図６（ｃ）に示すように，その後の操作パネルＡＣＰの傾動動作を中止する。これにより，不測の事態が発生するのを未然に防ぐことができる。
【００３１】
図７は，第１の傾動動作におけるオープン方向の傾動動作制御のフローチャート図である。この傾動動作制御は，ＡＶＮ制御ユニットの制御プログラムにより行われる。最初に，表示パネルにはタッチパネルによる操作ボタンとして表示パネルの傾動動作指示ボタンが表示される。その傾動動作指示ボタンによりオープン方向の操作がＯＮされると（Ｓ１０），まず，傾動動作の前に操作パネルの全操作ボタン及び表示パネルの表示中の全操作ボタンが無効化される。これにより傾動動作中に障害物に衝突してユーザが希望しない操作指令が出されるのを防止する（Ｓ１４）。そして，表示パネルをオープン方向に傾動動作する（Ｓ１４）。この傾動動作は，表示パネルの傾動ユニット内のモータを駆動させることで行われるが，一定時間内に目標角度まで移動するか否かが監視される（Ｓ１６，Ｓ２４）。一定時間内に目標角度まで表示パネルの傾動動作が完了すると（Ｓ１６のＹＥＳ），次に操作パネルＡＣＰの傾動動作が行われる（Ｓ１８）。この傾動動作は，ＡＶＮ制御ユニット内の不揮発性メモリＶＮＭＥＭに記憶された表示パネルの傾動角度に対応する操作パネルの傾動角になるようユーザからの操作指令を待つことなく自動で動作制御される。そして，目標角度まで傾動動作が完了すると（Ｓ２０のＹＥＳ），操作パネルや表示パネルの操作ボタンを有効化する（Ｓ２２）。
【００３２】
１番目の表示パネルの傾動動作において一定時間経過するまでに目標角度まで傾動動作が完了しない場合は（Ｓ２４のＹＥＳ），その傾動動作を停止し元の傾動角に戻すと共に，２番目の操作パネルＡＣＰに対する傾動動作を解除し，操作ボタンを有効化する（Ｓ２６）。また，２番目の操作パネルの傾動動作中においても，一定時間経過するまでに目標角度まで傾動動作が完了しない場合は，その操作パネルの傾動動作を解除し，元の傾動角に戻すようにするのが好ましい。
【００３３】
図８は，第１の傾動動作におけるクローズ方向の傾動動作を示す図である。図８（ａ）では表示パネルＤＩＳＰが本体１０に対して約２０度で開いた状態にあり，操作パネルＡＣＰは水平方向に傾動されている。この状態で，表示パネルの操作ボタンにより表示パネルを本体に対して０度に閉じる操作が行われると，その傾動指令に応答して，まず，操作パネルＡＣＰが表示パネル０度に対して記憶された傾動角９０度まで傾動動作される。すなわち，図８（ｂ）に示すとおりである。その後，図８（ｃ）に示されるとおり，表示パネルＤＩＳＰを指令された角度０度まで傾動動作する。そして，電源ＯＦＦされると，操作パネルＡＣＰは表示パネルに対して０度に傾動動作され完全に閉じた状態にされる。図８（ａ）の状態から電源ＯＦＦにされた場合は，最初に操作パネルＡＣＰが表示パネルに対して０度まで傾動動作され，その後に表示パネルが本体に対して０度まで傾動動作される。
【００３４】
このように，表示パネルのクローズ方向の傾動動作では，それに伴って操作パネルＡＣＰはよりクローズする方向に傾動動作するものという前提で，第１に操作パネルＡＣＰを傾動動作し，表示パネルと操作パネルを合わせた形状をできるだけ小さくし，第２に表示パネルＤＩＳＰを傾動動作させる。これにより，表示パネルの傾動動作中の形状を小さくし，車内の障害物への衝突の可能性を低くすることができる。また，操作パネルが表示パネルに対して開いた状態で，表示パネルをクローズする方向に傾動動作すると，開いている操作パネルが車内の床などに衝突する可能性があるので，操作パネルを表示パネルより先に傾動動作するのが好ましい。さらに，クローズ方向の傾動動作においても，図６の説明と同様に，最初の傾動動作で操作パネルの傾動動作が一定時間内に完了しない場合は，その傾動動作を解除して元の位置に戻すと共に，次に予定されている表示パネルの傾動動作もキャンセルする。
【００３５】
図９は，第１の傾動動作におけるクローズ方向の傾動動作制御のフローチャート図である。最初に，表示パネルの傾動角をクローズ方向にする操作指令があると（Ｓ３０のＹＥＳ），まず，傾動中の不測の操作指令をなくすために，全てのボタン操作を無効化する（Ｓ３２）。その後，操作パネルＡＣＰを次の表示パネルの傾動角に対応して記憶されている傾動角まで傾動動作させる（Ｓ３４）。この傾動動作が一定時間経過するまでに目標角度まで移動したら（Ｓ３６のＹＥＳ），次に表示チャネルをクローズ方向に傾動動作させる（Ｓ３８）。傾動動作完了すると（Ｓ４０のＹＥＳ），全てのボタン操作を有効化する（Ｓ４２）。
【００３６】
また，操作パネルの傾動動作が一定時間経過内に完了しない場合は（Ｓ４４のＹＥＳ），その傾動動作を停止して元の位置に戻し，次に予定されている表示パネルの傾動動作も解除する。その後全ボタン操作を有効化する（Ｓ４６）。
【００３７】
以上，第１の傾動動作では，表示パネルがオープン方向に傾動指令された場合は，操作パネルもオープン方向に傾動されることを前提にして，表示パネルを傾動動作した後に操作パネルを傾動動作する。一方，表示パネルがクローズ方向に傾動動作された場合は，操作パネルもクローズ方向に傾動されることを前提にして，操作パネルを傾動動作した後に表示パネルを傾動動作する。そして，いずれの場合も，傾動動作中のボタン操作を無効化する。さらに，最初の傾動動作が一定時間内に完了しない場合は，その傾動動作を停止し元に戻すと共に次の傾動動作もキャンセルする。また，表示パネルの傾動角に対応してユーザにより設定された操作パネルの傾動角がそれぞれ記憶され，表示パネルの傾動指令に応答して，操作パネルの傾動動作を自動的に行う。
【００３８】
図１０は，本実施の形態における第２の傾動動作を示す図である。この傾動動作では，表示パネルのオープン方向またはクローズ方向の傾動指令に対して，いずれの場合も，最初に操作パネルを表示パネルに対して９０度の位置（基準位置）に閉じるよう傾動動作し，その後表示パネルを目標角度まで傾動動作する。したがって，表示パネルの傾動中は操作パネルは常に９０度の位置になる。また，別の方法として，表示パネルを傾動動作した後に，操作パネルをメモリに記憶された位置に傾動動作してもよい。あるいは，表示パネルを傾動動作した後は，操作パネルの傾動角の調整を行わない，若しくはマニュアルで調整可能にしてもよい。これらの操作パネルの傾動角を調整することについての３つの調整モード（メモリ記憶位置に自動傾動，マニュアル調整，傾動調整を行わない）をあらかじめ設定可能にしてもよい。そして，第１の傾動動作と同様に，傾動動作中にボタン操作を無効化し，所定時間内に傾動動作完了しない場合は，その傾動動作を解除し次の傾動動作も解除する。
【００３９】
図１０（ａ）の状態で表示パネルのクローズ方向の傾動指令があると，図１０（ｂ）のように操作パネルＡＣＰを表示パネルＤＩＳＰに対して９０度の位置（基準位置）に傾動動作し，その後，図１０（ｃ）のように表示パネルＤＩＳＰを指示された位置まで傾動動作する。この状態で傾動動作を完了する。また，別の方法として，図１０（ｄ）のように，その後に操作パネルＡＣＰを表示パネルＤＩＳＰに対してメモリに記憶されている位置まで傾動動作してもよい。
【００４０】
逆に，表示パネルのオープン方向の傾動指令がある場合は，図１０（ｄ）の状態から最初に操作パネルＡＣＰを９０度にクローズし（図１０（ｃ）），表示パネルをオープン方向に傾動動作する（図１０（ｂ））。別の方法として，その後に操作パネルをその表示パネルの傾動角に対応して記憶されている傾動位置に傾動動作してもよい（図１０（ａ））。
【００４１】
いずれの方向に表示パネルを傾動動作する場合も，操作パネルを一旦９０度の基準位置までクローズするので，表示パネルの傾動動作中に操作パネルが車内の障害物に衝突する可能性を低くすることができる。また，操作パネルの傾動位置がどのように設定されていても，表示パネルの傾動動作する前に操作パネルが９０度の位置にクローズされるので，障害物への衝突の可能性を抑えることができる。そして，操作パネルがオープン状態の中で最も閉じた状態の９０度の位置で表示パネルの傾動動作が保証されている場合は，第２の傾動動作のようにすることで，その保証範囲での傾動動作を行うことができる。
【００４２】
図１１は，第２の傾動動作の制御フローチャート図である。最初に表示パネルの傾動動作が操作されると（Ｓ５０のＹＥＳ），全てのボタン操作を無効化し（Ｓ５２），操作パネルを初期値９０度まで傾動動作する（Ｓ５４）。この傾動動作が一定時間内に完了すると（Ｓ５６のＹＥＳ），次に表示パネルを目標角度まで傾動動作する（Ｓ５８）。その傾動動作が完了すると（Ｓ６０のＹＥＳ），ボタン操作を有効化する（Ｓ６２）。また，操作パネルの傾動動作が一定時間内に完了しない場合は（Ｓ６４のＹＥＳ），その傾動動作を解除し元の位置に戻し，次の表示パネルの傾動動作を解除する。そして，ボタン操作を有効化する（Ｓ６６）。
【００４３】
図１２は，本実施の形態における第３の傾動動作を示す図である。この傾動動作では，表示パネルの傾動動作指令に対して，操作パネルの絶対角度を維持するように傾動制御を行う。その際，オープン方向の傾動指令では表示パネルを先に傾動制御しその後操作パネルと傾動制御する。逆に，クローズ方向の傾動指令では操作パネルを先に傾動制御しその後表示パネルを傾動制御する。
【００４４】
図１２（ａ）の状態で，表示パネルＤＩＳＰのオープン方向の傾動指令があると，まず，図１２（ｂ）のように表示パネルＤＩＳＰを指令位置まで傾動動作する。その後，図１２（ｃ）のように操作パネルＡＣＰを表示パネルと同じ角度だけオープン方向に傾動動作する。その結果，操作パネルは表示パネルの傾動指令前の絶対角度（図１２の例では水平方向）を維持する。そして，操作パネルを表示パネルの傾動動作前と動作後のうちより閉じた状態（図１２（ａ）の状態）で，表示パネルを傾動動作させることができる。逆に，図１２（ｃ）の状態で，表示パネルＤＩＳＰのクローズ方向の傾動指令があると，最初に，操作パネルを表示パネルと同じ角度だけクローズ方向の傾動動作をして図１２（ｂ）の状態にする。その後，表示パネルを閉じる方向に傾動動作して図１２（ａ）の状態にする。この場合も，操作パネルをより閉じた状態で表示パネルの傾動動作をさせることができる。
【００４５】
図１３は，第３の傾動動作におけるオープン方向への傾動動作制御のフローチャート図である。表示パネルのタッチパネルから表示パネルについてオープン方向の操作があると（Ｓ７０のＹＥＳ），ボタン操作を無効化し（Ｓ７２），最初に表示パネルをオープン方向に傾動動作する（Ｓ７４）。一定時間経過内に目標角度まで表示パネルが傾動動作すると（Ｓ７６のＹＥＳ），その後操作パネルＡＣＰを表示パネルと同じ角度だけ傾動動作する（Ｓ７８）。これにより，操作パネルＡＣＰの絶対角度は維持される。そして，目標位置まで傾動動作が終了すると（Ｓ８０のＹＥＳ），ボタン操作が有効化される（Ｓ８２）。この場合でも，最初の表示パネルの傾動動作が一定時間内に終了しない場合は（Ｓ８４のＹＥＳ），その表示パネルの傾動動作を停止し，後続の操作パネルＡＣＰの傾動動作をキャンセルし，ボタン操作を有効化する（Ｓ８６）。
【００４６】
図１４は，第３の傾動動作におけるクローズ方向への傾動動作制御のフローチャート図である。表示パネルのタッチパネルから表示パネルについてクローズ方向の操作があると（Ｓ９０のＹＥＳ），ボタン操作を無効化し（Ｓ９２），最初に操作パネルを表示パネルの移動角度と同じ角度だけクローズ方向に傾動動作する（Ｓ９４）。一定時間経過内に目標角度まで操作パネルが傾動動作すると（Ｓ９６のＹＥＳ），その後表示パネルをクローズ方向に傾動動作する（Ｓ９８）。そして，目標位置まで傾動動作が終了すると（Ｓ１００のＹＥＳ），ボタン操作が有効化される（Ｓ１０２）。この場合でも，最初の操作パネルの傾動動作が一定時間内に終了しない場合は（Ｓ１０４のＹＥＳ），その操作パネルの傾動動作を停止し，後続の表示パネルの傾動動作をキャンセルし，ボタン操作を有効化する（Ｓ１０６）。
【００４７】
第３の傾動動作では，表示パネルの傾動指令があると，傾動指令前の操作パネルの絶対角度が維持されたまま表示パネルの傾動動作が行われる。この場合は，傾動後の表示パネルの傾動角度に対応してメモリに記憶されている操作パネルの傾動角度は利用されない。したがって，ユーザは，一つの表示パネルの傾動角に対する操作パネルの傾動角を設定するだけで，その後，表示パネルの傾動指令により，その時の操作パネルの絶対角度を維持して自動的に傾動動作させることができる。
【００４８】
図１５は，本実施の形態における第４の傾動動作を示す図である。この傾動動作では，表示パネルのオープン方向及びクローズ方向のいずれの傾動指令に対しても，最初に操作パネルＡＣＰを表示パネルに対して０度にクローズする傾動動作をして操作パネルを基準位置（０度）に移動させ，クローズした状態で表示パネルを傾動動作し，最後に操作パネルを傾動前の絶対角度になるように傾動動作する。
【００４９】
図１６は，第４の傾動動作の制御フローチャート図である。図１５，図１６を参照して，傾動動作を説明する。図１５（ａ）の状態から，表示パネルの傾動操作指令があると（Ｓ１１０のＹＥＳ），全てのボタン操作を無効化し（Ｓ１１２），図１５（ｂ）に示すように，最初に操作パネルＡＣＰを表示パネルＤＩＳＰに対して０度にクローズする傾動動作を行う（Ｓ１１４）。一定時間内に操作パネルがクローズ角度（０度）になると（Ｓ１１６のＹＥＳ），次に，図１５（ｃ）のように，表示パネルＤＩＳＰを操作指令された位置まで傾動動作する（Ｓ１１８）。目標角度まで傾動動作が完了すると（Ｓ１２０），図１５（ｄ）のように，操作パネルＡＣＰを元の絶対角度まで傾動動作する（Ｓ１２２）。目標角度まで移動すると（Ｓ１２４のＹＥＳ），最後にボタン操作を有効化する（Ｓ１２６）。上記の傾動動作Ｓ１１８，Ｓ１２２で一定時間内に目標角度まで傾動動作完了しない場合は，その傾動動作を途中で解除して，元の位置に戻す（図示せず）。
【００５０】
また，最初の操作パネルＡＣＰをクローズする傾動動作が一定時間内に完了しない場合は（Ｓ１２８のＹＥＳ），その操作パネルの傾動動作を解除し，元の位置に戻し，その後の表示パネルの傾動動作を解除する。そして，最後にボタン操作を有効化する（Ｓ１３０）。これにより，途中で傾動動作が完了しない場合に，その後の制御を全てキャンセルして，不測の事態を招くことを防止することができる。
【００５１】
図１７は，第４の傾動動作の特殊例を示す図である。この特殊例は，表示パネルのフルオープンの傾動動作である。表示パネルのフルオープンは，本体の前面側に設けられた媒体ディスクの挿入窓を１００％露出した状態にするもので，操作パネルＡＣＰの表面側のボタンＥＪＥＣＴ（図１参照）を操作した時に制御される。この場合，図１７（ａ）の状態で操作ボタンＥＪＥＣＴが操作されると，図１７（ｂ）のように操作パネルＡＣＰが表示パネルＤＩＳＰに対して０度の位置までクローズする傾動動作をする。その後，本体１０に内側部に設けられた傾動用溝１０Ｂに沿って表示パネルＤＩＳＰの軸が下方に移動し，図１７（ｃ）のように表示パネルＤＩＳＰを本体１０に対して９０度開いた位置まで傾動動作する。この状態で，操作パネルＡＣＰは元の角度に傾動動作することはない。その結果，本体１０の前面１０Ａが１００％開いた状態になる。
【００５２】
逆に，表示パネルのフルオープン状態から元の状態に戻す場合は，図１７（ｃ），（ｂ），（ａ）の逆方向の傾動動作を行う。この復帰動作は，操作パネルＡＣＰの裏側のオープンボタンＢＴ２（図１参照）を操作することにより行われる。この場合も，操作パネルが完全に閉じた状態で表示パネルが傾動動作されるので，特殊なフルオープンの傾動動作において，車内の障害物に衝突する可能性を低くすることができる。
【００５３】
図１８は，本実施の形態における操作ボタンの無効化を説明する図である。また，図１９は，その制御を示すフローチャート図である。図１８（ａ）の状態で，表示パネルを傾動する指令があると，前述したとおり，図１８（ｂ）のように表示パネルＤＩＳＰと操作パネルＡＣＰの傾動動作中は，ボタン操作を無効化する。さらに，図１８（ｃ）に示すとおり，操作パネルＡＣＰが表示パネルＤＩＳＰに対してクローズ（閉じた）状態にある時は，その間に障害物３０が挟まって表面のボタンが操作される可能性があるので，操作パネルがクローズ状態にあるときは，表面ボタンの操作を無効化する。この場合，操作パネルのクローズ状態とは，例えば，表示パネルに対して９０度未満の状態をいう。
【００５４】
また，図１８（ｄ）に示すとおり，操作パネルＡＣＰが表示パネルＤＩＳＰに対してオープン（開いた）状態にある時は，インストルメントパネル４２につながる車両の床４０に近い位置に本体１０が装着されている場合は，操作パネルＡＣＰの裏側のボタンＢＴ２が床４０に衝突して操作される可能性があるので，操作パネルの裏側のボタンは操作無効化する。
【００５５】
図１９のフローチャートにより，図１８（ｃ）（ｄ）の操作ボタンの無効化をより詳細に説明する。まず，ＡＶＮ制御ユニットは，表示パネルと操作パネルの角度状態をセンサからの信号により検出する（Ｓ１４０）。表示パネルが例えば４０度以下の場合は（Ｓ１４２のＹＥＳ），操作パネルが表示パネルに対して９０度未満の場合は（Ｓ１４４のＹＥＳ），図１９の（ａ）に示す状態であるので，操作パネル表面のボタンを無効化する（Ｓ１４８）。これは，図１８（ｃ）の状態に対応する。一方で，操作パネルが表示パネルに対して９０度未満でない場合は（Ｓ１４４のＮＯ），図１９（ｂ）に示す状態にあるので，操作パネル裏面のボタンを無効化する（Ｓ１５０）。これは，図１８（ｄ）の状態に対応する。
【００５６】
次に，表示パネルの傾動角が本体に対して４０度を超えている場合は（Ｓ１４２のＮＯ），実質的に表示パネルが１００％オープン状態を意味するので，操作パネルが表示パネルに対して９０度未満の場合は（Ｓ１４６のＹＥＳ），図１９（ｃ）に示す状態にあるので，操作パネルの表面側のボタン操作を無効化する（Ｓ１５２）。逆に，操作パネルが表示パネルに対して９０度未満でない場合は（Ｓ１４６のＮＯ），図１９（ｄ）に示す状態であり通常あり得ない状態であるが，操作パネルの裏面側ボタンを無効化する（Ｓ１５４）。
【００５７】
以上のように，表示パネルが通常のオープン状態（４０度以下）の場合は，操作パネルが通常のオープン状態であれば（９０度以上），図１９（ｂ）の状態にあるので，操作パネルの裏面側のボタンが無効化され，操作パネルの表面側の全てのボタンは有効化される。この状態で，ボタンＥＪＥＣＴが操作されると，表示パネルが１００％オープンで操作パネルがクローズした状態（図１９（ｃ））に傾動制御される。
【００５８】
また，表示パネルが通常のオープン状態の場合でも，操作パネルがクローズ状態であれば（９０度未満，通常０度しかない），図１９（ａ）の状態になるので，操作パネルの表面側のボタンを無効化して，障害物を挟んでも不測の操作が行われないようにする。この状態で，操作パネルの裏面側のオープンボタンＢＴ２が操作されると，操作パネルをメモリに記憶した傾動角度まで傾動動作する。
【００５９】
次に，表示パネルが通常のオープン状態以外（４０度超）の場合は，表示パネルが１００％オープン状態で操作パネルがクローズ状態しか通常はあり得ないので，その場合は，図１９（ｃ）のように操作パネルの表面ボタンを無効化する。この状態で，操作パネルの裏面側のオープンボタンＢＴ２が操作されると，操作パネルと表示パネルとをフルオープン状態になる前の状態に復帰動作する。
【００６０】
さらに，通常あり得ないような図１９（ｄ）の状態の時は，操作パネルの裏面ボタンを無効化する。但し，操作パネルの表面のボタンＥＪＥＣＴとボタンＣＬＯＳＥは有効にするが，それ以外の操作ボタンは無効化する。これにより，最小限の表面ボタンのみを有効化する。つまり，操作パネル表面のボタンＥＪＥＣＴの操作により表示パネルがフルオープンする前の状態に表示パネルと操作パネルとが傾動動作する。
【００６１】
上記説明した以外に，本実施の形態では，操作パネルＡＣＰの表面側にクローズボタンＣＬＯＳＥを設けている（図１参照）。操作パネルが開かれた状態でオートエアコンなどの別の操作ボタンを遮る場合に，このクローズボタンＣＬＯＳＥを操作することで，一時的に操作パネルを表示パネルに対して０度の位置にクローズ動作する。そして，その後操作パネルの裏面側のオープンボタンＢＴ２を操作することで，一時的に閉じられた操作パネルを，元の位置に復帰させる。この一連の傾動動作制御を行うことで，一時的に他の操作ボタンが遮られた場合でも，表示パネルを傾動動作することなく，他の操作ボタンの操作を可能にすることができる。
【００６２】
さらに，本実施の形態の第１の傾動動作では，電源ＯＮに応答して，表示パネルが電源ＯＦＦ時の傾動角まで傾動動作し，その後操作パネルがメモリに記憶したその表示パネルの傾動角に対応する傾動角への傾動動作が自動的に行われる。その状態で，表示パネルを傾動操作するとその希望する角度に傾動動作し，当該表示パネルの傾動角に対応する傾動角度に操作パネルが自動制御される。ここで，電源をＯＦＦにするとその時の表示パネルの傾動角が記憶される。そして，次に電源ＯＮにすると，直前の傾動角に表示パネルが制御され，それに対応してメモリに記憶した傾動角に操作パネルが自動制御される。この状態で，操作パネル表面のクローズボタンＣＬＯＳＥを操作すると，一時的に操作パネルが閉じるよう傾動動作する。そこで，操作パネル裏面のオープンボタンＢＴ２を操作すると，前の傾動角まで操作パネルが傾動動作する。
【産業上の利用可能性】
【００６３】
以上のとおり，本発明によれば，表示パネルのサイズを最大化することができると共に，表示パネルの下端部に軸支された操作パネルの傾動動作を自動的に行うことができ，ユーザの利便性を高めることができる。
【図面の簡単な説明】
【００６４】
【図１】本実施の形態における車載用電子機器の正面図である。
【図２】ＡＶＮ装置の表示パネルと操作パネルの種々の傾動状態の一例を示す図である。
【図３】本実施の形態におけるＡＶＮ装置の概略構成図である。
【図４】本実施の形態におけるＡＶＮ制御ユニットの構成図である。
【図５】本実施の形態のおける第１の傾動動作のオープン傾動動作を示す図である。
【図６】第１の傾動動作における衝突時の動作を示す図である。
【図７】第１の傾動動作におけるオープン方向の傾動動作制御のフローチャート図である。
【図８】第１の傾動動作におけるクローズ方向の傾動動作を示す図である。
【図９】第１の傾動動作におけるクローズ方向の傾動動作制御のフローチャート図である。
【図１０】本実施の形態における第２の傾動動作を示す図である。
【図１１】第２の傾動動作の制御フローチャート図である。
【図１２】本実施の形態における第３の傾動動作を示す図である。
【図１３】第３の傾動動作におけるオープン方向への傾動動作制御のフローチャート図である。
【図１４】第３の傾動動作におけるクローズ方向への傾動動作制御のフローチャート図である。
【図１５】本実施の形態における第４の傾動動作を示す図である。
【図１６】第４の傾動動作の制御フローチャート図である。
【図１７】第４の傾動動作の特殊例を示す図である。
【図１８】本実施の形態における操作ボタンの無効化を説明する図である。
【図１９】本実施の形態における操作ボタンの無効化の制御を示すフローチャート図である。
【符号の説明】
【００６５】
１０：本体        ＤＩＳＰ：表示パネル        ＡＣＰ：操作パネル
ＢＴ１：操作ボタン        ＢＴ２：操作ボタン
【図１】
2006312366.tif 000003
【図２】
2006312366.tif 000004
【図３】
2006312366.tif 000005
【図４】
2006312366.tif 000006
【図５】
2006312366.tif 000007
【図６】
2006312366.tif 000008
【図７】
2006312366.tif 000009
【図８】
2006312366.tif 000010
【図９】
2006312366.tif 000011
【図１０】
2006312366.tif 000012
【図１１】
2006312366.tif 000013
【図１２】
2006312366.tif 000014
【図１３】
2006312366.tif 000015
【図１４】
2006312366.tif 000016
【図１５】
2006312366.tif 000017
【図１６】
2006312366.tif 000018
【図１７】
2006312366.tif 000019
【図１８】
2006312366.tif 000020
【図１９】
2006312366.tif 000021